(57)【要約】【課題】  表示機器に表示出力されているとおりに印刷すると共に編集結果をより正確に表示機器に表示出力する。【解決手段】  テレビ受像器の画面に設けられた作業領域に表示される領域の拡大縮小に伴って拡大縮小率ρを計算し（Ｓ１３０，１５０）、作業領域における印刷範囲４１０のテレビ受像器上での１ドットに対するＡ４用紙上での距離として設定された初期値Ａを拡大縮小率ρで除して編集単位Ｄを計算する（Ｓ１６０）。そして、この編集単位Ｄを用いて作業領域における編集の最小単位として編集を実行する。これにより、テレビ受像器の画面に表示されているとおりに印刷することができると共に編集結果をより正確にテレビ受像器に表示することができる。【選択図】        図４
2005199661.tif 000002
【特許請求の範囲】
【請求項１】
画像等を印刷する印刷装置であって、
画像の印刷媒体へのレイアウトを含む印刷範囲の編集を変更可能な編集単位を用いて実行する編集実行手段と、
該編集実行手段により編集されている印刷範囲の少なくとも一部を表示する表示用データを作成すると共に該作成した表示用データを表示機器に出力する表示用データ作成出力手段と、
前記作成した表示用データの解像度の単位を前記編集実行手段における編集単位として設定する編集単位設定手段と、
を備える印刷装置。
【請求項２】
請求項１記載の印刷装置であって、
前記表示用データ作成出力手段は、前記表示機器の所定表示領域に前記編集されている印刷範囲の少なくとも一部を表示するための表示用データを作成して該表示機器に出力する手段であり、
前記編集実行手段は、編集している印刷範囲の全範囲のうち前記所定表示領域に表示される表示範囲を変更して編集を実行する手段であり、
前記編集単位設定手段は、前記所定表示領域に表示される表示範囲の変更がなされる毎に前記編集単位を設定する手段である
印刷装置。
【請求項３】
請求項２記載の印刷装置であって、
前記編集実行手段は、所定の拡大率または所定の縮小率をもって前記表示範囲を拡大または縮小して編集を実行する手段であり、
前記編集単位設定手段は、所定の拡大率または所定の縮小率を用いて前記編集単位を設定する手段である
印刷装置。
【請求項４】
前記編集単位設定手段は、前記印刷範囲のサイズと前記表示範囲のサイズと前記表示用データの解像度とに基づいて編集単位を計算する手段である請求項２または３記載の印刷装置。
【請求項５】
前記表示用データ作成出力手段は、前記表示機器としてのテレビ受像器に出力するものとして前記表示用データを作成する手段である請求項１ないし４いずれか記載の印刷装置。
【請求項６】
請求項１ないし５いずれか記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
を備え、
前記編集実行手段は、前記操作信号送信手段により送信され前記情報受信解析手段により受信して解析された光信号に基づいて編集を実行する手段である
印刷装置。
【請求項７】
請求項６記載の印刷装置であって、
前記操作信号送信手段を備える操作信号送信機と、
前記編集実行手段と前記表示用データ作成出力手段と前記編集単位設定手段と前記情報受信解析手段とを単一の筐体に備える印刷装置本体と、
からなる印刷装置。
【請求項８】
前記印刷装置本体は、外観が高さが２０ｃｍ以下で幅が６０ｃｍ以下で奥行きが６０ｃｍ以下の略箱形形状に形成されてなる請求項７記載の印刷装置。
【請求項９】
前記印刷装置本体は、側面の一方を正面とし、該正面から印刷用記録剤カートリッジを着脱することを特徴とする請求項７または８記載の印刷装置。
【請求項１０】
前記印刷装置本体は、側面の一方を正面とし、該正面から給排紙することを特徴とする請求項７ないし９いずれか記載の印刷装置。
【請求項１１】
画像等を印刷する印刷装置の制御方法であって、
印刷範囲の少なくとも一部を表示する表示用データを作成すると共に該作成した表示用データを表示機器に出力し、
前記作成した表示用データの解像度の単位を編集単位として設定し、
該設定した編集単位を用いて画像の印刷媒体へのレイアウトを含む編集の実行を制御する
印刷装置の制御方法。
【発明の詳細な説明】
【技術分野】
【０００１】
本発明は、印刷装置およびその制御方法に関する。
【背景技術】
【０００２】
従来、この種の印刷装置としては、ストレージから読み込んだ画像を家庭用のテレビ画面に表示して拡大縮小などの編集を施した後に印刷するものが提案されている（例えば、非特許文献１参照）。この装置では、テレビ画面に表示される領域を印刷領域としてストレージから画像を読み込んで割り付け、画像の配置を変更したり、画像を拡大または縮小したり、画像を回転させたり、文字を入力したりするなどの編集を施して印刷することができる。
【０００３】
【非特許文献１】松下電器産業株式会社、「Ｐａｎａｓｏｎｉｃ  ホームフォトプリンターＳＶ−ＡＰ１０」、［平成１５年１１月２２日検索］、インターネット＜URL:http://prodb.matsushita.co.jp/products/panasonic/SV/SV-AP10.html＞，＜URL:http://prodb.matsushita.co.jp/products/panasonic/SV/SV-AP10_s.html＞
【発明の開示】
【発明が解決しようとする課題】
【０００４】
しかしながら、上述の印刷装置などでは、テレビ画面に表示出力された画像と実際に印刷されたときの画像とが異なる場合がある。画像のレイアウトの変更や拡大縮小などは、印刷としては印刷装置の解像度を用いて行なうことができるから、その解像度やこれに近い解像度を用いて編集する場合、編集結果をテレビ画面に正確に表示出力することができない。このため、テレビ画面に表示出力されたものと印刷されたものとが異なってしまう。
【０００５】
本発明の印刷装置およびその制御方法は、表示機器に表示出力されているとおりに印刷することを目的の一つとする。また、本発明の印刷装置およびその制御方法は、編集結果をより正確に表示機器に表示出力することを目的の一つとする。
【課題を解決するための手段】
【０００６】
本発明の印刷装置およびその制御方法は、上述の目的の少なくとも一部を達成するために以下の手段を採った。
【０００７】
本発明の印刷装置は、
画像等を印刷する印刷装置であって、
画像の印刷媒体へのレイアウトを含む印刷範囲の編集を変更可能な編集単位を用いて実行する編集実行手段と、
該編集実行手段により編集されている印刷範囲の少なくとも一部を表示する表示用データを作成すると共に該作成した表示用データを表示機器に出力する表示用データ作成出力手段と、
前記作成した表示用データの解像度の単位を前記編集実行手段における編集単位として設定する編集単位設定手段と、
を備えることを要旨とする。
【０００８】
この本発明の印刷装置では、編集されている印刷範囲の少なくとも一部を表示する表示用データを作成して表示機器に表示出力し、この作成した表示用データの解像度の単位を編集単位として設定し、画像の印刷媒体へのレイアウトを含む印刷範囲の編集を設定した編集単位を用いて実行する。したがって、印刷範囲の編集結果をより正確に表示機器に表示出力することができる。この結果、表示機器に表示出力されているとおりに印刷することができる。
【０００９】
こうした本発明の印刷装置において、前記表示用データ作成出力手段は前記表示機器の所定表示領域に前記編集されている印刷範囲の少なくとも一部を表示するための表示用データを作成して該表示機器に出力する手段であり、前記編集実行手段は編集している印刷範囲の全範囲のうち前記所定表示領域に表示される表示範囲を変更して編集を実行する手段であり、前記編集単位設定手段は前記所定表示領域に表示される表示範囲の変更がなされる毎に前記編集単位を設定する手段であるものとすることもできる。こうすれば、表示範囲の変更による画像の拡大表示や縮小表示に伴って編集単位が設定されるから、所定表示領域に表示された画像に対してより正確に編集を実行することができる。
【００１０】
この表示範囲を変更して編集する態様の本発明の印刷装置において、前記編集実行手段は所定の拡大率または所定の縮小率をもって前記表示範囲を拡大または縮小して編集を実行する手段であり、前記編集単位設定手段は所定の拡大率または所定の縮小率を用いて前記編集単位を設定する手段であるものとすることもできる。こうすれば、編集単位を容易に設定することができる。
【００１１】
また、表示範囲を変更して編集する態様の本発明の印刷装置において、前記編集単位設定手段は、前記印刷範囲のサイズと前記表示範囲のサイズと前記表示用データの解像度とに基づいて編集単位を計算する手段であるものとすることもできる。こうすれば、編集単位をより正確に計算することができる。
【００１２】
また、本発明の印刷装置において、前記表示用データ作成出力手段は、前記表示機器としてのテレビ受像器に出力するものとして前記表示用データを作成する手段であるものとすることもできる。こうすれば、テレビ受像器の解像度を編集単位として印刷範囲の編集を行なうことができる。
【００１３】
本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、を備え、前記編集実行手段は、前記操作信号送信手段により送信され前記情報受信解析手段により受信して解析された光信号に基づいて編集を実行する手段であるものとすることもできる。
【００１４】
こうした操作信号送信手段と情報受信解析手段とを備える態様の本発明の印刷装置において、前記操作信号送信手段を備える操作信号送信機と、前記編集実行手段と前記表示用データ作成出力手段と前記編集単位設定手段と前記情報受信解析手段とを単一の筐体に備える印刷装置本体と、からなるものとすることもできる。この場合、前記印刷装置本体は、外観が高さが２０ｃｍ以下で幅が６０ｃｍ以下で奥行きが６０ｃｍ以下の略箱形形状に形成されてなるものとすることもできる。また、前記印刷装置本体は、側面の一方を正面とし、該正面から印刷用記録剤カートリッジを着脱することを特徴とするものとすることもできるし、前記印刷装置本体は、側面の一方を正面とし、該正面から給排紙することを特徴とするものとすることもできる。
【００１５】
本発明の印刷装置の制御方法は、
画像等を印刷する印刷装置の制御方法であって、
印刷範囲の少なくとも一部を表示する表示用データを作成すると共に該作成した表示用データを表示機器に出力し、
前記作成した表示用データの解像度の単位を編集単位として設定し、
該設定した編集単位を用いて画像の印刷媒体へのレイアウトを含む編集の実行を制御する
ことを要旨とする。
【００１６】
この本発明の印刷装置の制御方法によれば、印刷範囲の少なくとも一部を表示する表示用データを作成して表示機器に出力し、この作成した表示用データの解像度の単位を編集単位として設定し、設定した編集単位を用いて画像の印刷媒体へのレイアウトを含む編集の実行を制御するから、印刷範囲の編集結果をより正確に表示機器に表示出力することができる。この結果、表示機器に表示出力されているとおりに印刷することができる。
【発明を実施するための最良の形態】
【００１７】
次に、本発明を実施するための最良の形態を実施例を用いて説明する。
【実施例】
【００１８】
図１は本発明の一実施例としての印刷装置２０を備える印刷システム１０の構成の概略を示す構成図であり、図２は実施例の印刷装置２０のメイン基板３０を中心に印刷システム１０を機能ブロックとして示すブロック図である。実施例の印刷装置２０は、図１に示すように、ケーブル１４を介して接続されたテレビ受像器１２とにより印刷システム１０を構成しており、印刷装置本体２２と、印刷装置本体２２を遠隔操作するための発光部９２を備えるリモートコントロールユニット（以下、リモコンと称す）９０とから構成されている。印刷装置本体２２は、高さが５〜２０ｃｍで幅が２２ｃｍ〜６０ｃｍで奥行きが１０〜６０ｃｍ（実施例では高さ１２ｃｍ、幅４５ｃｍ、奥行き４５ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュやＳＤ（Secure Digital）メモリカード，スマートメディアなどのＰＣカード１５を装着するカードスロット２７が設けられている。
【００１９】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２への書き込みを用いてテレビ受像器１２への表示出力を制御するビデオチップ４０、印刷ヘッド６３を動かすキャリッジモータ６０や紙送り用のＰＦモータ６１，ポンプモータ６２などを駆動するモータドライバ４４，印刷ヘッド６３の駆動用波形を生成するヘッド用ＤＡＣ４６，デジタルスチルカメラやＣＤ−Ｒなどの周辺機器１７と接続するためのホスト用ＵＳＢコネクタ４８，コンピュータ（ＰＣ）１６などと接続するためのデバイス用ＵＳＢコネクタ５０，キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタが設けられている。これらの各ユニットやコネクタは、バスや信号ラインによりメイン制御ユニット３２に接続されている。
【００２０】
メイン制御ユニット３２は、カード操作部制御ユニット３８を介してＰＣカード１５から入力した画像ファイルやホスト用ＵＳＢコネクタ４８を介して周辺機器１７から入力した画像ファイルをファイルの形式に応じて展開すると共にレイアウト処理を行なって印刷イメージを作成し、これをＣＭＹＫへの色変換や２値化などの処理を行なって印刷ヘッド６３により印刷可能なデータとして印刷を実行したり、デバイス用ＵＳＢコネクタ５０を介してＰＣ１６から入力したプリンタ制御用のコマンドと印刷データに基づいて印刷を実行する。また、メイン制御ユニット３２は、こうした印刷の実行処理だけでなく、画像ファイルの入出力やレイアウトの設定，印刷条件の設定など各種操作をテレビ受像器１２への表示と受光部２６や操作パネル２５からの入力とによって行なう際の処理も実行する。
【００２１】
リモコン９０は、図２に示すように、ボタン操作に対応した光信号を調整して発光部９２から発光する発光制御部９１を備えている。リモコン９０は、図３の外観図に示すように、略長方形の形状をしており、その図中上部側面に発光部９２が取り付けられている。リモコン９０には、発光部９２近傍から、電源ボタン９３ａや画像の拡大や縮小を行なう拡大ボタン９３ｂおよび縮小ボタン９３ｃ，メニューを表示するメニューボタン９３ｄ，処理や画面を直前に戻す戻るボタン９３ｅ，処理を決定したり画像を選択するＯＫボタン９３ｆ，フォーカスフレームを左右や上下に移動させる左ボタン９３ｇ，右ボタン９３ｈ，上ボタン９３ｉ，下ボタン９３ｊ，処理を戻したり進めたりする処理戻しボタン９３ｋおよび処理進めボタン９３ｌ，印刷枚数を増減する枚数増加ボタン９３ｍおよび枚数減少ボタン９３ｎ，印刷を開始する印刷開始ボタン９３ｏ，印刷を中止する印刷中止ボタン９３ｐ，その他の処理に用いられるボタン９３ｑ〜９３ｔなどのボタン群が配置されている。こうして構成されたリモコン９０のボタンが操作者により操作されると、リモコン９０の発光制御部９１により、ボタンに応じた信号に装置を識別する信号を付した光信号に調整して発光部９２から発光する。この光信号を受光部２６で受光すると、カード操作部制御ユニット３８は、上述したように、光信号を解析してコード化してメイン制御ユニット３２に渡す。メイン制御ユニット３２は受け取ったコードに基づいて各処理を実行する。
【００２２】
次に、こうして構成された実施例の印刷装置２０の動作、特に画像のレイアウトを含む印刷範囲の編集の際の編集単位を設定する動作について説明する。図４は、メイン制御ユニット３２により実行される編集単位設定処理の一例を示すフローチャートである。この編集単位設定処理は、編集画面が表示され、印刷範囲におけるテレビ受像器１２に表示している表示領域内の拡大縮小を指示する処理戻しボタン９３ｋ，処理進めボタン９３ｌを操作する毎に実行される。
【００２３】
編集単位背低処理を説明する前に、説明の容易のために、実施例の印刷装置２０で印刷を実行する際の処理について簡単に説明する。実施例の印刷装置２０では、電源を投入すると、ＲＯＭ３４に予め記憶された図示しないメニュー画面がテレビ受像器１２に表示される。そのメニュー画面から「応用プリントモード」を選択すると、ＲＯＭ３４に予め記憶された図５に例示する応用プリントモードのメニュー画面１００がテレビ受像器１２に表示される。このメニュー画面１００は、処理段階を表示する処理表示領域１０２と、メニュー項目を表示するメニュー項目表示領域１０４と、ボタン操作のガイドを簡単に表示するガイド表示領域１０８により構成されている。メニュー項目表示領域１０４に表示されるメニュー項目としては、通常のテンプレートを用いて印刷を行なう「Ｌ判・アルバム・フレーム印刷」やＣＤ−ＲやＤＶＤ−Ｒに直接印刷を行なう「ＣＤ−Ｒ，ＤＶＤ−Ｒ印刷」，シール印刷や自由レイアウトによる印刷などを行なう「その他の印刷」などが用意されている。操作者は、リモコン９０の上ボタン９３ｉや下ボタン９３ｊを操作することによりフォーカスフレームを移動させ、ＯＫボタン９３ｆを操作することにより項目を選択することができる。
【００２４】
このように、メニュー画面１００で項目を選択すると、次の処理としての印刷設定処理に移行し、ＲＯＭ３４に予め記憶された図６に例示する印刷設定画面２００がテレビ受像器１２に表示される。この印刷設定画面２００もメニュー画面１００と同様に、処理表示領域２０２やメニュー項目表示領域２０４，ガイド表示領域２０８により構成されている。メニュー項目表示領域２０４を用いて設定する項目としては、用紙種類や用紙サイズ，レイアウトなどを挙げることができる。用紙種類や用紙サイズを変更するには、上ボタン９３ｉや下ボタン９３ｊによりフォーカスフレームを用紙種類や用紙サイズに合わせた状態で左ボタン９３ｇや右ボタン９３ｈを操作することによりトグル状に変わる内容から所望の内容を表示させることにより行なう。レイアウトの選択は、フォーカスフレームをレイアウトに合わせた状態で左ボタン９３ｇや右ボタン９３ｈを操作してフォーカスフレームを所望のテンプレートに合わせてＯＫボタン９３ｆを操作することにより行なう。この印刷設定画面２００では、メニュー項目表示領域２０４に表示する項目が多く、一画面では表示することができないため、フォーカスフレームを「レイアウト」から下に移動させることにより、ＲＯＭ３４に予め記憶された次の画面をテレビ受像器１２に表示出力して次の画面に移動させることができる。
【００２５】
こうして印刷設定を行なうと、次の処理としての写真選択処理に移行し、ＲＯＭ３４に予め記憶された図７に例示する写真選択画面３００がテレビ受像器１２に表示される。この写真選択画面３００は、メニュー画面１００や印刷設定画面２００の処理表示領域１０２，２０２と同様の処理表示領域３０２と、印刷イメージ３０５を表示する印刷イメージ表示領域３０４と、画像を一覧表示する画像表示領域３０６と、メニュー画面１００や印刷設定画面２００のガイド表示領域１０８，２０８と同様のガイド表示領域３０８とにより構成されている。操作者が、左ボタン９３ｇや右ボタン９３ｈ，上ボタン９３ｉ，下ボタン９３ｊを操作して画像表示領域３０６に一覧表示された画像（サムネイル）のうち所望の画像にフォーカスフレームを合わせ、その状態でＯＫボタン９３ｆを操作すると、フォーカスフレームにより選択した画像を印刷する画像として選択することができる。このとき、選択された画像は、選択された順にレイアウトで選択したテンプレートの左上の印刷枠から順に割り付けられ、印刷イメージ表示領域３０４に印刷イメージ３０５として表示される。図７の例では、図６の印刷設定画面２００のレイアウトから「自由レイアウトＡ４横」が選択された状態を示しており、この「自由レイアウトＡ４横」や「自由レイアウトＡ４縦」などが選択された状態で画像が選択されたときには、印刷範囲の中央に印刷枠が作成されて画像が割り付けられ、図８に例示する編集画面４００がテレビ受像器１２に表示出力される。編集画面４００は、印刷媒体の輪郭を示す印刷範囲４１０や印刷範囲４１０内の画像を表示する作業領域４０２と、ガイド表示領域４０８とにより構成されている。この編集画面４００では、左ボタン９３ｇ，右ボタン９３ｈ，上ボタン９３ｉ，下ボタン９３ｊを操作することにより、選択した画像の印刷枠をテレビ受像器１２の解像度を単位として上下左右に移動させることができる。また、拡大ボタン９３ｂや縮小ボタン９３ｃを操作することにより、選択した画像の印刷枠を拡大したり縮小したりすることができる。この編集画面４００では、処理戻しボタン９３ｋや処理進めボタン９３ｌは作業領域４０２に表示される範囲を拡大したり縮小したりするボタンとして機能する。図８の状態から処理戻しボタン９３ｋを操作して作業領域４０２に表示される範囲を拡大したときの編集画面４００の状態を図９に示し、逆に図８の状態から処理進めボタン９３ｌを操作して作業領域４０２に表示される範囲を縮小したときの編集画面４００の状態を図１０に示す。図１０中、破線は印刷範囲４１０を示す。実施例では、処理戻しボタン９３ｋを操作すると、作業領域４０２に表示される領域を拡大し、処理進めボタン９３ｌを操作すると作業領域４０２に表示される領域を縮小する。したがって、表示される内容、即ち画像自体は、処理戻しボタン９３ｋを操作すると縮小し、処理進めボタン９３ｌを操作すると拡大することになる。実施例では、処理戻しボタン９３ｋを操作する毎に画像を所定の縮小率１／ｋ（例えば、０．７１倍）ずつ縮小し、逆に処理進めボタン９３ｌを操作する毎に画像を所定の拡大率ｋ（例えば、１．４１倍）ずつ拡大するものとした。なお、戻るボタン９３ｅを操作すると、選択した画像の編集を終了して編集結果をもって図７の写真選択画面３００に戻り、次の画像の選択を受け付けるようになる。
【００２６】
図４の編集単位設定処理は、編集画面４００で処理戻しボタン９３ｋや処理進めボタン９３ｌを操作して作業領域４０２に表示される範囲を拡大したり縮小する毎に実行される。この編集単位設定処理は、現在の拡大縮小率ρを読み込み（ステップＳ１００）、ボタン操作が処理戻しボタン９３ｋか処理進めボタン９３ｌかを判定する（ステップＳ１１０）。拡大縮小率ρは、図７の写真選択画面３００で最初の画像が選択されたときにテレビ受像器１２に表示される図８の状態の編集画面４００のときを値１とし、その後、処理戻しボタン９３ｋや処理進めボタン９３ｌが操作される毎にこのルーチンにより計算されてＳＤＲＡＭ３６の所定アドレスに格納される。したがって、拡大縮小率ρの読み込みは、ＳＤＲＡＭ３６の所定アドレスからの読み込みとなる。
【００２７】
ステップＳ１１０で処理戻しボタン９３ｋが操作されたと判定されると、画像としては縮小されるから、縮小と判断し、現在の縮小が予め設定された最小であるか否かを判断する（ステップＳ１２０）。この判断は、拡大縮小率ρの最小値を予め設定しておき、その最小値と拡大縮小率ρとを比較することにより行なうことができるし、また、縮小の最大回数を予め定めておき、縮小の回数が最大回数に至っているかを判定することによっても行なうことができる。最小ではないときには、拡大縮小率ρに縮小率１／ｋを乗じて新たな拡大縮小率ρを計算する（ステップＳ１３０）。そして、編集単位の初期値Ａを計算した拡大縮小率ρで除して編集単位Ｄを計算して（ステップＳ１６０）、処理を終了する。ここで、初期値Ａは、図８の状態の編集画面４００の作業領域４０２における印刷範囲４１０のテレビ受像器１２上での１ドットに対するＡ４用紙上での距離として設定されており、例えば、図８の状態の編集画面４００の作業領域４０２における印刷範囲４１０をテレビ受像器１２上で３１５×４４６ドットで表示するものとすれば、１ドットはＡ４用紙上では６．６６ｍｍとなるから、初期値Ａには６．６６ｍｍが設定されている。いま、初期値Ａを６．６６ｍｍとすると共に縮小率１／ｋを０．７１とし、図８の状態の編集画面４００で処理戻しボタン９３ｋが操作されたときを考えれば、拡大縮小率ρは０．７１となり、編集単位Ｄは６．６６／０．７１＝９．３８ｍｍとなる。この状態で更に処理戻しボタン９３ｋが操作されると、拡大縮小率ρは０．５０となり、編集単位Ｄは１３．３２ｍｍとなる。こうして編集単位Ｄが設定されると、編集画面４００で画像の印刷枠を移動させる際のＡ４用紙上の最小単位として用いられる。即ち、画像の印刷枠の移動を作業領域４０２に表示する表示用データの解像度の単位（編集単位Ｄ）で行なうのである。なお、ステップＳ１２０で最小と判断されたときには、処理戻しボタン９３ｋを操作してもこれ以上縮小されないから、編集単位Ｄの設定は行なわれず、処理を終了する。
【００２８】
ステップＳ１１０で処理進めボタン９３ｌが操作されたと判定されると、画像としては拡大されるから、拡大と判断し、現在の拡大が予め設定された最大であるか否かを判断する（ステップＳ１４０）。この判断は、拡大縮小率ρの最大値を予め設定しておき、その最大値と拡大縮小率ρとを比較することにより行なうことができるし、また、拡大の最大回数を予め定めておき、拡大の回数が最大回数に至っているかを判定することによっても行なうことができる。最大ではないときには、拡大縮小率ρに拡大率ｋを乗じて新たな拡大縮小率ρを計算する（ステップＳ１５０）。そして、編集単位の初期値Ａを計算した拡大縮小率ρで除して編集単位Ｄを計算して（ステップＳ１６０）、処理を終了する。編集単位Ｄの計算については、縮小と同様に行なわれる。初期値Ａを６．６６ｍｍとすると共に拡大ｋを１．４１とし、図８の状態の編集画面４００で処理進めボタン９３ｌが操作されたときを考えれば、拡大縮小率ρは１．４１となり、編集単位Ｄは６．６６／１．４１＝４．７２ｍｍとなる。この状態で更に処理進めボタン９３ｌが操作されると、拡大縮小率ρは１．９９となり、編集単位Ｄは１３．２５となる。なお、ステップＳ１４０で最小と判断されたときには、処理進めボタン９３ｌを操作してもこれ以上拡大されないから、編集単位Ｄの設定は行なわれず、処理を終了する。
【００２９】
こうして設定された編集単位Ｄは、編集画面４００における画像の印刷枠の移動の単位として用いられるだけでなく、印刷範囲４１０に文字を入力する際の文字の入力枠の移動の単位としても用いられる。その他、編集画面４００における各種の画像の編集の単位として用いられる。このように編集単位Ｄを編集の単位として用いることにより、テレビ受像器１２の画面上の表示をそのままＡ４用紙に印刷するものとすることができる。
【００３０】
以上説明した実施例の印刷装置２０によれば、テレビ受像器１２に表示される際の解像度を印刷範囲における画像のレイアウトの変更などを含む編集の際の最小単位として用いるから、テレビ受像器１２の画面上の編集結果をそのまま印刷用紙に印刷することができる。即ち、テレビ受像器１２の画面上の編集結果と印刷用紙に印刷した結果とを精度よく一致させることができる。しかも、作業領域４０２に表示する印刷範囲４１０の範囲の拡大縮小に伴って編集単位Ｄを拡大縮小するから、テレビ受像器１２の画面上に拡大縮小して編集した結果も精度よく印刷用紙に印刷することができる。このように、テレビ受像器１２の画面上として編集画面４００の作業領域４０２に表示されている範囲の解像度を編集単位Ｄとするから、編集結果をより正確に表示機器に表示することができる。
【００３１】
実施例の印刷装置２０では、リモコン９０の左ボタン９３ｇ，右ボタン９３ｈ，上ボタン９３ｉ，下ボタン９３ｊの操作により編集画面４００の作業領域４０２に表示された画像の印刷枠を上下左右に移動させたり拡大ボタン９３ｂや縮小ボタン９３ｃの操作により画像の印刷枠を拡大したり縮小したりする処理を実行するメイン制御ユニット３２が編集実行手段に相当し、ビデオチップ４０やＶＲＡＭ４２が表示用データ作成出力手段に相当し、図４の編集単位設定処理を実行するメイン制御ユニット３２が編集単位設定手段に相当する。
【００３２】
実施例の印刷装置２０では、編集画面４００においては処理戻しボタン９３ｋや処理進めボタン９３ｌを作業領域４０２に表示される範囲を拡大したり縮小したりするボタンとして機能するものとしたが、作業領域４０２に表示される範囲を拡大したり縮小したりするボタンとしては処理戻しボタン９３ｋや処理進めボタン９３ｌに限られず、他の如何なるボタンを用いるものとしてもよい。
【００３３】
実施例の印刷装置２０では、作業領域４０２に表示される範囲を拡大したり縮小したりする際には所定の拡大率ｋや所定の縮小率１／ｋを用いて拡大縮小を行なったが、拡大率や縮小率の入力を伴って作業領域４０２に表示される範囲を拡大したり縮小したりするものとしてもよい。この場合、拡大縮小率ρの計算には、入力した拡大率や縮小率を用いればよい。
【００３４】
実施例の印刷装置２０では、編集単位Ｄとしてはテレビ受像器１２の解像度における１ドットのＡ４用紙における距離として設定したが、テレビ受像器１２の解像度で表示できればよいから、編集単位Ｄとしてテレビ受像器１２の解像度における２ドットのＡ４用紙における距離や３ドットのＡ４用紙における距離としてもよい。
【００３５】
実施例の印刷装置２０では、印刷用紙としてＡ４用紙を用いるものとしたが、他のサイズの用紙を用いるものとしてもよい。この場合、編集単位Ｄの計算における初期値Ａは、印刷用紙のサイズに応じたものとすればよい。
【００３６】
実施例の印刷装置２０では、作業領域４０２に表示される範囲を拡大したり縮小したりすることができるものとしたが、作業領域４０２の表示される範囲の拡大や縮小を行なうことができないものとしてもよい。この場合、編集単位Ｄは印刷用紙のサイズに応じて設定されることになる。
【００３７】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００３８】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００３９】
実施例の印刷装置２０では、ビデオチップ４０からの表示出力の出力先としてケーブル１４を介して接続されたテレビ受像器１２としたが、他の如何なる表示機器を表示出力の出力先としても構わない。
【００４０】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４１】
本発明は、印刷装置製造産業に利用可能である。
【図面の簡単な説明】
【００４２】
【図１】印刷システム１０の構成の概略を示す構成図。
【図２】メイン基板３０を中心とするブロック図。
【図３】リモコン９０の一例の外観図。
【図４】編集単位設定処理の一例を示すフローチャート。
【図５】メニュー画面１００の一例を示す説明図。
【図６】印刷設定画面２００の一例を示す説明図。
【図７】写真選択画面３００の一例を示す説明図。
【図８】編集画面４００の一例を示す説明図。
【図９】画像を縮小した際の編集画面４００の一例を示す説明図。
【図１０】画像を拡大した際の編集画面４００の一例を示す説明図。
【符号の説明】
【００４３】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９１  発光制御部、９２  発光部、９３ａ  電源ボタン、９３ｂ  拡大ボタン、９３ｃ  縮小ボタン、９３ｄ  メニューボタン、９３ｅ  戻るボタン、９３ｆ  ＯＫボタン、９３ｇ  左ボタン、９３ｈ  右ボタン、９３ｉ  上ボタン、９３ｊ  下ボタン、９３ｋ  処理戻しボタン、９３ｌ  処理進めボタン、９３ｍ  枚数増加ボタン、９３ｎ  枚数減少ボタン、９３ｏ  印刷開始ボタン、９３ｐ  印刷中止ボタン、９３ｑ〜９３ｔ  ボタン、１００  メニュー画面、１０２，２０２，３０２  処理表示領域、１０４，２０４  メニュー項目表示領域、１０８，２０８，３０８  ガイド表示領域、２００  印刷設定画面、３００  写真選択画面、３０４  印刷イメージ表示領域、３０５  印刷イメージ、３０６  画像表示領域。
【図１】
2005199661.tif 000003
【図２】
2005199661.tif 000004
【図３】
2005199661.tif 000005
【図４】
2005199661.tif 000006
【図５】
2005199661.tif 000007
【図６】
2005199661.tif 000008
【図７】
2005199661.tif 000009
【図８】
2005199661.tif 000010
【図９】
2005199661.tif 000011
【図１０】
2005199661.tif 000012